(57)【要約】【課題】  宅配ボックスと壁面の隙間の充填材仕上げに際して、充填材の使用量削減および押さえ仕上げを可能にする、宅配ボックスおよびその施工方法を提供する。【解決手段】  宅配ボックス１の側板１１と壁面２との隙間３に充填材４が充填される際にその充填材４を隙間３内から押し止める充填材止め部材１２を、宅配ボックス１の側板１１から外方へ突出自在に備える。【選択図】図１
2006055445.tif 000002
【特許請求の範囲】
【請求項１】
壁に埋込み施工される宅配ボックスであって、宅配ボックス側板および／または宅配ボックス天板とそれが対面する壁面との隙間に充填材が充填される際にその充填材を隙間内から押し止める充填材止め部材が、宅配ボックス側板および／または宅配ボックス天板から外方へ突出自在に備えられていることを特徴とする宅配ボックス。
【請求項２】
充填材止め部材は、宅配ボックス側板および／または宅配ボックス天板からのスライド動作によって外方へ突出自在となっていることを特徴とする請求項１記載の宅配ボックス。
【請求項３】
充填材止め部材は、宅配ボックス側板および／または宅配ボックス天板からの回転動作によって外方へ突出自在となっていることを特徴とする請求項１記載の宅配ボックス。
【請求項４】
宅配ボックスを壁に埋込み施工し、その際に生じる宅配ボックス側板および／または宅配ボックス天板とそれが対面する壁面との隙間を充填材仕上げする宅配ボックスの施工方法であって、
宅配ボックスに、充填材を隙間内から押し止める充填材止め部材を、宅配ボックス側板および／または宅配ボックス天板から外方へ突出自在となるように設け、
充填材仕上げの際に、充填材止め部材を宅配ボックス側板および／または宅配ボックス天板から外方へ突出させて、この充填材止め部材と宅配ボックス側板および／または宅配ボックス天板と壁面とで形成される空間に充填材を充填することを特徴とする宅配ボックスの施工方法。
【請求項５】
充填材止め部材を、宅配ボックス側板および／または宅配ボックス天板からのスライド動作によって外方へ突出自在となるように設けることを特徴とする請求項４記載の宅配ボックスの施工方法。
【請求項６】
充填材止め部材を、宅配ボックス側板および／または宅配ボックス天板からの回転動作によって外方へ突出自在となるように設けることを特徴とする請求項４記載の宅配ボックスの施工方法。
【発明の詳細な説明】
【技術分野】
【０００１】
本願発明は、宅配ボックスと壁面の隙間の充填材仕上げに関するものである。
【背景技術】
【０００２】
従来、マンション等の集合住宅に設置される宅配ボックスについては、たとえば図８および図９に例示したように壁に埋込み施工される場合、宅配ボックス１と壁面２の隙間３を、コーキング材やシーリング材等の充填材４を詰めて仕上げることがしばしば行われている。なお、図９では、コンクリート壁等から突設された板体などの端面を、宅配ボックス１に隣り合う壁面２としている。
【０００３】
隙間を充填材仕上げすることは、たとえば特許文献１〜３にも記載されているが、これらの文献は宅配ボックスとは全く関係のない技術分野についてのものである。ここでは、充填材仕上げそのものの参考文献として列挙しておく。
【特許文献１】実開昭６０−８０１２号公報
【特許文献２】実公平６−１７９３７号公報
【特許文献３】特開平５−２３９８７０号公報
【発明の開示】
【発明が解決しようとする課題】
【０００４】
しかしながら、通常、壁面２との隙間３は宅配ボックス１の奥行き方向に沿って奥深く続いており、また隙間３内からの止め押さえもないため、充填材４が隙間３の奥へ流れ込み易く、充填材４の使用量が増えたり、充填材４の押さえ仕上げが困難になるといった問題が生じていた。
【０００５】
そこで、以上のとおりの事情に鑑み、本願発明は、宅配ボックスと壁面の隙間の充填材仕上げに際して、充填材の使用量削減および押さえ仕上げを可能にする、宅配ボックスおよびその施工方法を課題としている。
【課題を解決するための手段】
【０００６】
本願発明は、上記の課題を解決するものとして、第１には、壁に埋込み施工される宅配ボックスであって、宅配ボックス側板および／または宅配ボックス天板とそれが対面する壁面との隙間に充填材が充填される際にその充填材を隙間内から押し止める充填材止め部材が、宅配ボックス側板から外方へ突出自在に備えられていることを特徴とする。
【０００７】
第２には、充填材止め部材は、宅配ボックス側板および／または宅配ボックス天板からのスライド動作によって外方へ突出自在となっていることを特徴とする。
【０００８】
第３には、充填材止め部材は、宅配ボックス側板および／または宅配ボックス天板からの回転動作によって外方へ突出自在となっていることを特徴とする。
【０００９】
また本願発明は、上記の課題を解決するものとして、第４には、宅配ボックスを壁に埋込み施工し、その際に生じる宅配ボックス側板および／または宅配ボックス天板とそれが対面する壁面との隙間を充填材仕上げする宅配ボックスの施工方法であって、宅配ボックスに、充填材を隙間内から押し止める充填材止め部材を、宅配ボックス側板および／または宅配ボックス天板から外方へ突出自在となるように設け、充填材仕上げの際に、充填材止め部材を宅配ボックス側板および／または宅配ボックス天板から外方へ突出させて、この充填材止め部材と宅配ボックス側板および／または宅配ボックス天板と壁面とで形成される空間に充填材を充填することを特徴とする。
【００１０】
第５には、充填材止め部材を、宅配ボックス側板および／または宅配ボックス天板からのスライド動作によって外方へ突出自在となるように設けることを特徴とする。
【００１１】
第６には、充填材止め部材を、宅配ボックス側板および／または宅配ボックス天板からの回転動作によって外方へ突出自在となるように設けることを特徴とする。
【発明の効果】
【００１２】
上記第１および第４の発明によれば、側板や天板から突出自在とされた充填材止め部材の存在により、充填材の使用量を削減し、且つ押さえ仕上げをも可能にして、隙間の充填材仕上げを従来よりも容易に行うことのできる宅配ボックスおよびその施工方法が実現される。
【００１３】
上記第２および第５の発明によれば、上記第１および第４の発明と同様な効果が得られ、また、充填材止め部材をスライドさせるだけで側板や天板から突出させることができ、より容易に充填材仕上げを行うことのできる宅配ボックスおよびその施工方法が実現される。
【００１４】
上記第３および第６の発明によれば、上記第１および第４の発明と同様な効果が得られ、また、充填材止め部材を回動させるだけで側板や天板から突出させることができ、より容易に充填材仕上げを行うことのできる宅配ボックスおよびその施工方法が実現される。
【発明を実施するための最良の形態】
【００１５】
＜第一の実施形態＞
図１〜図４は、本願発明の一実施形態を示したものである。
【００１６】
この実施形態において、宅配ボックス１は、その側板１１から外方へのスライド動作によって突出自在とされた充填材止め部材１２を備えている。
【００１７】
より具体的には、まず、充填材止め部材１２は、宅配ボックス１の側板１１の長手方向に沿う断面略コ字状の長尺板体となっており、宅配ボックス１の正面方向を向く充填材止め板片１２ａと、その一端から宅配ボックス１の裏面方向へ伸びた側板抜け止め板片１２ｂと、他端から同じく宅配ボックス１の裏面方向へ伸びた壁面当て板片１２ｃとを有している。
【００１８】
この充填材止め部材１２が具備される宅配ボックス１の側板１１は、その長手方向に沿って設けられた凹み帯状の板片納め部１１ａと、同じく長手方向に沿って、且つ板片納め部１１ａを内外に貫通するよう設けられた一本の長尺スリット状の板片挿入部１１ｂとを有している。
【００１９】
これにおいて、充填材止め部材１２は、充填材止め板片１２ａが板片挿入部１１ｂにスライド自在に挿入され、且つその両端の側板抜け止め板片１２ｂおよび壁面当て板片１２ｃが板片納め部１１ａを間にして側板１１の外側および内側に位置するように、側板１１に備え付けられており、充填材止め板片１２ａのスライド動作によって側板１１の外内へ引出し・押込み自在となっている。この引出し・押込み動作の際には、充填材止め板片１２ａが板片挿入部１１ｂにて側板１１の外側および内側方向へスライドすることで、充填材止め部材１２全体がスライド移動し、外側へ引き出されるときは、側板１１の内側に位置した側板抜け止め板片１２ｂが板片納め部１１ａの内面に引っ掛かり、側板１１からの充填材止め部材１２の抜け落ちが防止され、内側へ押し戻されるときは、側板１１の外側に位置した壁面当て板片１２ｃが板片納め部１１ａ内に納まり、側板１１からの不使用時の充填材止め部材１２の出っ張りがなくなる。なお、壁面当て板片１２ｃは、外側へ引き出された際に対面する壁面２に当たり、充填材止め部材１２の位置決めの役割を担う。
【００２０】
以上の充填材止め部材１２を具備した宅配ボックス１を壁に埋め込み、両者間の隙間３を充填材４により仕上げる施工は、たとえば次のとおりに行う。
【００２１】
まず、宅配ボックス１を壁に設けられた埋込み凹所内に設置させた後、側板１１とそれが対面する埋込み凹所の壁面２との隙間３において、充填材止め部材１２を側板１１から引き出す。このとき、壁面当て板片１２ｃが壁面２に当接し、充填材止め板片１２ａが隙間３をブロックした状態となり、充填材止め板片１２ａと側板１１および壁面２とによって囲まれた空間が形成される。
【００２２】
後は、形成された空間に充填材４を充填することで、充填材止め板片１２ａにて塞ぎ止められ且つ押さえられて、隙間３が塞がれることとなる。
【００２３】
以上によれば、側板１１からスライドして突出される充填材止め部材１２の存在により、充填材４が隙間３の奥へ無駄に流れてしまうことを防ぐとともに、隙間３内からの押さえも実現して、充填材仕上げを容易に且つ良好に行えるようになる。隙間３の幅が施工現場によって異なっていても、充填材止め部材１２のスライド突出量を調整することで、それぞれ現場にて容易に且つ的確に対応できることは言うまでもない。
【００２４】
なお、図１〜図３における宅配ボックス１は、前方からのみ出し入れできるものであり、通常後方は壁で塞がった状態となるため（図３参照）、充填材止め部材１２も側板１１にて前方に近い部位にのみ備えられているが、図４に例示したように、前後両方から出し入れ可能な宅配ボックス１の場合には、隙間３の充填材仕上げも前後で必要になるため、充填材止め部材１２は側板１１にて前方に近い部位および後方に近い部位それぞれに取り付けられることが好ましい。
【００２５】
また、図３および図４に例示したように、充填材止め部材１２を左右の側板１１に設けた宅配ボックス１を複数並設する場合では、隣接する宅配ボックス１間の充填材止め部材１２は、壁面当て板片１２ｃを板片納め部１１ａに納めて、側板１１の内側へ押し込んだ状態としておく。
＜第二の実施形態＞
ところで、充填材止め部材１２については、上述したとおりの側板１１からの引出し動作だけでなく、図５〜図７に例示したように側板１１からの回転動作により突出自在としたものも考慮できる。ここではこの実施形態について説明する。
【００２６】
まず、図５および図６に示した実施形態では、充填材止め部材１２は、宅配ボックス１の側板１１の長手方向に沿う略平板状の長尺板体となっており、宅配ボックス１の正面方向を向く充填材止め板片１２ｄと、その回転動作の軸となる軸部１２ｅとを有している。
【００２７】
この充填材止め部材１２が具備される宅配ボックス１の側板１１は、不使用時の充填材止め板片１２ｄが納まる、長手方向に沿って設けられた凹み帯状の板片納め部１１ｃを有している。
【００２８】
これにおいて、充填材止め部材１２は、軸部１２ｅが側板１１の板片納め部１１ｃ近傍の適宜位置に回動自在に取り付けられ、この軸部１２ｅを軸として回転開閉する充填材止め板片１２ｄが回転閉時には板片納め部１１ｃに納まり、回転開時には板片納め部１１ｃから外方へ突出するようにして、側板１１に備え付けられている。
【００２９】
このように充填材止め部材１２を具備した宅配ボックス１の施工は、まず、宅配ボックス１を壁に埋め込んだ後、側板１１とそれが対面する埋込み凹所内の壁面２との隙間３において、充填材止め部材１２を回転させて開き、側板１１から外方に突出した状態とする。このとき、充填材止め板片１２ｄの自由端が壁面２に当たり、充填材止め板片１２ｄが隙間３をブロックした状態となり、充填材止め板片１２ｄと側板１１および壁面２とによって囲まれた空間が形成される。後は、形成された空間に充填材４を充填すると、充填材止め板片１２ｄにて塞ぎ止められ且つ押さえられて、隙間３が塞がれることとなる。
【００３０】
以上によれば、側板１１から回転して突出される充填材止め部材１２の存在により、充填材４の使用量を低減し、且つ隙間３内からの押さえ仕上げも行って、容易且つ良好な充填材仕上げを実現することができる。異なる幅の隙間３に対しては、スライド動作の充填材止め部材１２と同様に、充填材止め部材１２をその先端が壁面２に当たるまで回転させるだけで、施工現場にて容易に且つ的確に対応できる。また、回転量が足りず先端が壁面２に当たっていない状態であっても、充填材４の充填により押されて、壁面２に当たるまで回転するので、隙間３をブロックした状態が確保され、良好な充填材仕上げが確実に実現される。
【００３１】
なお、図５および図６においては、側板１１に板片納め部１１ｃが設けられ、それに充填材止め板片１２ｄが納められて、不使用時の充填材止め部材１２の出っ張りがなくなるものとなっているが、たとえば図７に例示したように、板片納め部１１ｃを設けずにそのまま、充填材止め部材１２を側板１１に備え付けることもできることは言うまでもない。
【００３２】
またもちろん、以上の回転動作の充填材止め部材１２についても、前述の図４と同様に、前後出し入れ式の宅配ボックス１の場合には、側板１１にて前後それぞれに取り付けられることが好ましい。
＜第三の実施形態＞
以上の第一及び第二の実施形態はいずれも、宅配ボックス１の側板１１に充填材止め部材１２を設けて、側板１１が対面する壁面２との隙間３を充填材仕上げする場合に対応させたものであるが、充填材仕上げは、図８や図９に例示したように宅配ボックス１の上方においても行われることがある。
【００３３】
そこで、本願発明では、宅配ボックス１の天板が対面する埋込み凹所内の壁面２との隙間３を充填材仕上げする場合にも対応できるよう、図示していないが、側板１１と同様に、天板に突出自在な充填材止め部材１２を設けてもよく、これによれば、天板からスライド動作や回転動作により突出した充填材止め部材１２によって、隙間３がブロックされ、充填材４の使用量の低減及び押さえ仕上げが実現されることとなる。
【００３４】
なお、この場合、充填材止め部材１２は天板から上方に突出するので、特に前述の図２に例示したようなスライド動作によるものについては、引き出した後に突出状態を維持する何等かのロック機構を付与しておくことが好ましい。
【００３５】
以上のとおり、充填材止め部材１２を、側板１１および天板の両方に設けた場合には宅配ボックス１の側方および上方での充填材仕上げに対応でき、いずれか一方にのみ設けた場合には側方または上方での充填材仕上げに対応できる。必要に応じて選択すればよい。
【図面の簡単な説明】
【００３６】
【図１】本願発明の一実施形態を示した斜視図である。
【図２】図１の実施形態の一部拡大断面図である。
【図３】図１の実施形態について説明するための断面図である。
【図４】図１の実施形態について説明するための別の断面図である。
【図５】本願発明の別の一実施形態を示した斜視図である。
【図６】図５の実施形態の一部拡大断面図である。
【図７】本願発明のさらに別の一実施形態を示した斜視図である。
【図８】（ａ）（ｂ）（ｃ）は、各々、従来の隙間充填材仕上げについて説明するための平面図、正面図および側面図である。
【図９】（ａ）（ｂ）（ｃ）は、各々、従来の隙間充填材仕上げについて説明するための別の平面図、正面図および側面図である。
【符号の説明】
【００３７】
１  宅配ボックス
１１  側板
１１ａ  板片納め部
１１ｂ  板片挿入部
１１ｃ  板片納め部
１２  充填材止め部材
１２ａ  充填材止め板片
１２ｂ  側板抜け止め板片
１２ｃ  壁面当て板片
１２ｄ  充填材止め板片
１２ｅ  軸部
２  壁面
３  隙間
４  充填材
【図１】
2006055445.tif 000003
【図２】
2006055445.tif 000004
【図３】
2006055445.tif 000005
【図４】
2006055445.tif 000006
【図５】
2006055445.tif 000007
【図６】
2006055445.tif 000008
【図７】
2006055445.tif 000009
【図８】
2006055445.tif 000010
【図９】
2006055445.tif 000011